(57)【特許請求の範囲】
【請求項１】
蒸気を負荷機器へ供給する蒸気ボイラと、
ドレン戻しラインを通して前記負荷機器から排出されるドレンを貯留し、ドレンポンプを有するドレン供給ラインを通して、貯留したドレンを前記蒸気ボイラへ供給する密閉型のドレンタンクと、
補給水ポンプを有する補給水ラインを通して補給水を前記ドレンタンクへ供給する大気開放型の補給水タンクとを備えるドレン回収システムであって、
前記ドレン戻しラインに設けられる開閉可能な第一弁と、
前記ドレン戻しラインの前記第一弁の上流側と前記補給水タンクとの間に接続されるドレン逃がしラインと、
前記ドレン逃がしラインに設けられる開閉可能な第二弁とを備え、
前記第一弁を開き、前記第二弁を閉じる第一開閉状態と、前記第一弁を閉じ、前記第二弁を開く第二開閉状態とを選択可能に構成したことを特徴とするドレン回収システム。
【請求項２】
システムの運転状態に応じて、前記第一弁および前記第二弁の前記第一開閉状態と前記第二開閉状態とを自動的選択する制御手段を備えたことを特徴とする請求項１に記載のドレン回収システム。
【請求項３】
前記ドレンタンクから前記蒸気ボイラへ供給するドレン温度を検出する温度検出器と、
前記ドレンタンク内の水位を検出する水位検出器とを備え、
前記制御手段は、前記温度検出器による検出温度が第一設定温度超過で前記補給水ポンプを駆動し、第一設定温度以下で前記補給水ポンプを停止し、
前記補給水ポンプの駆動時、前記水位検出器の検出水位が第一設定水位超過で前記補給水ポンプを停止して、前記第一弁および前記第二弁を前記第二開閉状態とすると共に、第一設定水位以下で前記補給水ポンプを駆動して前記第一弁および前記第二弁を前記第一開閉状態とすることを特徴とする請求項２に記載のドレン回収システム。
【請求項４】
前記制御手段は、前記補給水ポンプの駆動時、前記温度検出器による検出温度が第一設定温度より高い第二設定温度超過で、前記第一弁および前記第二弁を前記第二開閉状態とすると共に、第二設定温度以下で前記第一弁および前記第二弁を前記第一開閉状態とすることを特徴とする請求項３に記載のドレン回収システム。
【請求項５】
前記補給水タンクと前記蒸気ボイラとを接続し補助ポンプを有する予備給水ラインを備え、
前記ドレンポンプによる前記蒸気ボイラへの給水が正常に行われないとき、前記第一弁および前記第二弁を前記第二開閉状態とすると共に、前記補助ポンプを駆動することを特徴とする請求項２〜請求項４のいずれか１項に記載のドレン回収システム。
【請求項６】
前記第一弁は、通電停止時に閉じる弁とし、前記第二弁は、通電停止時に開く弁としたことを特徴とする請求項２〜請求項５のいずれか１項に記載のドレン回収システム。
【発明の詳細な説明】
【技術分野】
【０００１】
この発明は、負荷機器で生成した高温のドレンを密閉型ドレンタンクに回収して、回収したドレンを蒸気ボイラへ供給して利用するドレン回収システムに関する。
【背景技術】
【０００２】
この種のドレン回収システムにおいて、蒸気を負荷機器へ供給する蒸気ボイラと、ドレン戻しラインを通して負荷機器から排出されるドレンを貯留し、ドレンポンプを有するドレン供給ラインを通して、貯留したドレンを蒸気ボイラへ供給する密閉型のドレンタンクと、補給水ポンプを有する補給水ラインを通して補給水をドレンタンクへ供給する大気開放型の補給水タンクとを備えるものは、特許文献１等で知られている。
【先行技術文献】
【特許文献】
【０００３】
【特許文献１】特開２０１１−２３７０６５号公報
【発明の開示】
【発明が解決しようとする課題】
【０００４】
特許文献１のドレン回収システムにおいては、ドレンタンク内の異常高水位や異常高圧やドレン温度の異常高温などの理由によりドレンのドレンタンクへの流入を停止したい場合やドレンタンク内圧力が異常高圧となってドレンのドレンタンクへの流入ができない場合、ドレン戻しラインからドレンタンク内へドレンの流入を遮断できない。ドレンの流入を遮断したい場合、ドレンの流入を遮断する遮断弁を設けることも考えられるが、ドレンの流入を遮断すると、負荷機器の運転を停止しなければならない事態を招来する。たとえば、負荷機器で使用する蒸気および使用した蒸気から発生した水が滞留して、負荷機器で必要な熱が確保できなくなり、負荷機器の運転を停止する事態である。負荷機器の運転の停止は、ボイラユーザーの事業活動を止める事態であり、極力避けなければならない。このため、特許文献１のようなドレン回収システムでは、遮断弁は設けないのが一般的である。要するに、特許文献１のシステムは、常時ドレンをドレンタンクへ回収することを前提とした技術思想のシステムである。
【０００５】
また、特許文献１では、ドレンタンク内のドレン温度が上限設定温度以上で、かつドレンタンク内の水位が上限設定水位以上の場合、高温のドレンをドレンタンクに回収しながら、補給水ポンプを駆動して補給水タンク内の水をドレンタンクとの間で循環させることで、ドレンタンク内のドレン温度を低下させようとしている。しかしながら、高温のドレンをドレンタンクに回収するということは、ドレンが保有する多量の熱量をドレンタンク内に取り込みながら冷却するので、速やかにドレン温度を低下させることは困難である。また、ドレンの冷却のために時間を要すると、上限設定温度未満となるまで補給水ポンプを連続運転するので、補給水ポンプ駆動のための電力量が多くなってしまう。
【０００６】
この発明が解決しようとする主課題は、ドレンのドレンタンクへの流入を停止したい場合やドレンのドレンタンクへの流入が不可能な場合でも熱損失を抑えながらその停止を可能として、負荷機器の運転停止といった異常事態を防止することである。この発明が解決しようとする副課題は、速やかにドレン温度を下げることができ、その結果、補給水ポンプの運転時間を短縮して節電を可能とすることである。
【課題を解決するための手段】
【０００７】
この発明は、特許文献１とは異なる技術思想に基づき、前記課題を解決するためになさ
れたもので、請求項１に記載の発明は、蒸気を負荷機器へ供給する蒸気ボイラと、ドレン戻しラインを通して前記負荷機器から排出されるドレンを貯留し、ドレンポンプを有するドレン供給ラインを通して貯留したドレンを前記蒸気ボイラへ供給する密閉型のドレンタンクと、補給水ポンプを有する補給水ラインを通して補給水を前記ドレンタンクへ供給する大気開放型の補給水タンクとを備えるドレン回収システムであって、前記ドレン戻しラインに設けられる開閉可能な第一弁と、前記ドレン戻しラインの前記第一弁の上流側と前記補給水タンクとの間に接続されるドレン逃がしラインと、前記ドレン逃がしラインに設けられる開閉可能な第二弁とを備え、前記第一弁を開き、前記第二弁を閉じる第一開閉状態と、前記第一弁を閉じ、前記第二弁を開く第二開閉状態とを選択可能に構成したことを特徴としている。
【０００８】
請求項１に記載の発明によれば、ドレンのドレンタンク内への流入を停止したい場合やドレンのドレンタンクへの流入が不可能な場合は、前記第二開閉状態とすることにより、ドレンの流入を停止でき、前記ドレンタンクへ流入しようとしたドレンは、前記ドレン逃がしラインを通して前記補給水タンクへ流入するので、前記負荷機器の運転の停止といった事態を回避できる。また、前記ドレン戻しラインのドレンが前記補給水タンクに流入するので、ドレンをシステム外へ放出するものと比較して熱損失を低減できる。
【０００９】
また、請求項２に記載の発明は、請求項１において、システムの運転状態に応じて、前記第一弁および前記第二弁の前記第一開閉状態と前記第二開閉状態とを自動的選択する制御手段を備えたことを特徴としている。
【００１０】
請求項２に記載の発明によれば、請求項１に記載の発明による効果に加えて、システムの運転状態に応じて自動的に前記第二開閉状態とすることができるので、負荷機器の運転停止を確実に防止することができる。
【００１１】
また、請求項３に記載の発明は、請求項２において、前記ドレンタンクから前記蒸気ボイラへ供給するドレン温度を検出する温度検出器と、前記ドレンタンク内の水位を検出する水位検出器とを備え、前記制御手段は、前記温度検出器による検出温度が第一設定温度超過で前記補給水ポンプを駆動し、第一設定温度以下で前記補給水ポンプを停止し、前記補給水ポンプの駆動時、前記水位検出器の検出水位が第一設定水位超過で前記補給水ポンプを停止して、前記第一弁および前記第二弁を前記第二開閉状態とすると共に、第一設定水位以下で前記補給水ポンプを駆動して前記第一弁および前記第二弁を前記第一開閉状態とすることを特徴としている。
【００１２】
請求項３に記載の発明によれば、請求項２に記載の発明による効果に加えて、前記温度検出器による検出温度が第一設定温度超過で前記補給水ポンプを駆動し、第一設定温度以下で前記補給水ポンプを停止するので、前記ドレンタンク内のドレン温度をほぼ第一設定温度に維持することができる。また、前記補給水ポンプの駆動時、前記水位検出器の検出水位が第一設定水位超過で前記補給水ポンプを停止して、前記第一弁および前記第二弁を前記第二開閉状態とすると共に、第一設定水位以下で前記補給水ポンプを駆動して前記第一弁および前記第二弁を前記第一開閉状態とするので、前記ドレンタンク内の水位が第一設定水位を超えることを防止しつつ、ドレンが保有する多量の熱量を前記ドレンタンク内に取り込むことなく、前記補給水ポンプにより供給される補給水により前記ドレンタンク内のドレンの冷却を行うことができる。その結果、特許文献１のシステムと比較して、短時間に前記ドレンタンク内のドレンを冷却することができ、前記補給水ポンプの運転時間を短縮でき、節電が可能となる。
【００１３】
また、請求項４に記載の発明は、請求項３において、前記制御手段は、前記補給水ポンプの駆動時、前記温度検出器による検出温度が第一設定温度より高い第二設定温度超過で
、前記第一弁および前記第二弁を前記第二開閉状態とすると共に、第二設定温度以下で前記第一弁および前記第二弁を前記第一開閉状態とすることを特徴としている。
【００１４】
請求項４に記載の発明によれば、請求項３に記載の発明による効果に加えて、前記補給水ポンプの駆動時、前記温度検出器による検出温度が第一設定温度より高い第二設定温度超過で、前記第一弁および前記第二弁を前記第二開閉状態とすると共に、第二設定温度以下で前記第一弁および前記第二弁を前記第一開閉状態とするので、前記ドレンタンク内のドレン温度を第二設定温度以下に速やかに冷却できる。その結果、特許文献１のシステムと比較して、第二設定温度（上限設定温度）以下に、短時間に前記ドレンタンク内のドレンを冷却することができる。
【００１５】
また、請求項５に記載の発明は、請求項２〜請求項４において、前記補給水タンクと前記蒸気ボイラとを接続し補助ポンプを有する予備給水ラインを備え、前記ドレンポンプによる前記蒸気ボイラへの給水が正常に行われないとき、前記第一弁および前記第二弁を前記第二開閉状態とすると共に、前記補助ポンプを駆動することを特徴としている。
【００１６】
請求項５に記載の発明によれば、請求項２〜請求項４に記載の発明による効果に加えて、前記ドレンポンプによる前記蒸気ボイラへの給水が正常に行われないとき、前記第一弁および前記第二弁を前記第二開閉状態とすると共に、前記補助ポンプを駆動するので、前記ドレンポンプが正常でないときでも、ドレンを前記補給水タンクに回収しつつ、前記蒸気ボイラの運転を継続でき、結果としてドレン回収システムの運転を継続できるという効果を奏する。
【００１７】
さらに、請求項６に記載の発明は、請求項２〜請求項５において、前記第一弁は、通電停止時に閉じる弁とし、前記第二弁は、通電停止時に開く弁としたことを特徴としている。
【００１８】
請求項６に記載の発明によれば、請求項２〜請求項５に記載の発明による効果に加えて、ドレン回収システム側の電源が停電などで遮断した場合、前記第一弁および前記第二弁が自動的に前記第二開閉状態となるので、前記負荷機器の運転を停止する事態を確実に回避できるという効果を奏する。
【発明の効果】
【００１９】
この発明によれば、ドレンのドレンタンクへの流入を停止したい場合やドレンのドレンタンクへの流入が不可能な場合でも熱損失を抑えながらその停止を可能として、負荷機器の運転停止といった異常事態を防止することができる。
【図面の簡単な説明】
【００２０】
【図１】この発明を実施したドレン回収システムの実施例１の概略構成図である。
【図２】同実施例１の第一弁の制御プログラムを説明するフローチャート図である。
【図３】同実施例１の第二弁の制御プログラムを説明するフローチャート図である。
【図４】同実施例１の補給水ポンプの制御プログラムを説明するフローチャート図である。
【図５】同実施例１のドレンポンプの制御プログラムを説明するフローチャート図である。
【図６】同実施例１の第三弁の制御プログラムを説明するフローチャート図である。
【図７】同実施例１の第四弁の制御プログラムを説明するフローチャート図である。
【図８】同実施例１の第五弁の制御プログラムを説明するフローチャート図である。
【図９】この発明を実施したドレン回収システムの実施例２の概略構成図である。
【発明を実施するための形態】
【００２１】
つぎに、この発明の実施の形態について説明する。この発明の実施の形態は、蒸気ボイラの蒸気使用機器である負荷機器から回収したドレンを蒸気ボイラへ供給して利用するドレン回収システムに好適に実施される。
【００２２】
この実施の形態を具体的に説明する。この実施の形態のドレンシ回収ステムは、蒸気を負荷機器へ供給する蒸気ボイラと、ドレン戻しラインを通して負荷機器から排出されるドレンを貯留し、ドレンポンプを有するドレン供給ラインを通して貯留したドレンを蒸気ボイラへ供給する密閉型のドレンタンクと、補給水ポンプを有する補給水ラインを通して補給水をドレンタンクへ供給する大気開放型の補給水タンクとを備えている。
【００２３】
この実施の形態の特徴とするところは、ドレン戻しラインに設けられる開閉可能な第一弁と、ドレン戻しラインの第一弁の上流側と補給水タンクとの間に接続されるドレン逃がしラインと、ドレン逃がしラインに設けられる開閉可能な第二弁とを備え、第一弁を開き、第二弁を閉じる第一開閉状態と、第一弁を閉じ、第二弁を開く第二開閉状態とを選択可能に構成したところにある。
【００２４】
この実施の形態においては、負荷機器からのドレンのドレンタンク内への流入を停止したい場合やドレンのドレンタンクへの流入が不可能な場合には、第一弁および第二弁を第二開閉状態とする。すると、負荷機器からドレンタンク内へのドレンの流入を停止できる。そして、ドレンタンクへ流入しようとしたドレンは、ドレン逃がしラインを通して補給水タンクへ流入するので、負荷機器の運転の停止を回避できる。その際、負荷機器の高温ドレンが補給水タンクに流入するので、ドレンを補給水タンクに回収することなく、システム外へ放出するものと比較して熱損失を低減できる。
【００２５】
この実施の形態においては、第一弁および第二弁を手動によって第一開閉状態または第二開閉状態とするように構成できるが、 好ましくは、第一弁および第二弁を電気的に開閉可能な弁として、制御手段によりシステムの運転状態に応じて、第一弁および第二弁を第一開閉状態と第二開閉状態とを自動的選択するように構成する。
【００２６】
そして、この好ましい実施の形態において、さらに好ましくは、ドレンタンクから蒸気ボイラへ供給するドレン温度を検出する温度検出器と、ドレンタンク内の水位を検出する水位検出器とを備え、制御手段は、温度検出器による検出温度が第一設定温度ＴＨ超過で前記補給水ポンプを駆動し、第一設定温度ＴＨ以下で補給水ポンプを停止する。そして、補給水ポンプの駆動時、前記水位検出器の検出水位が第一設定水位ＬＨＨ超過で補給水ポンプを停止して、第一弁および第二弁を第二開閉状態とすると共に、第一設定水位ＬＨＨ以下で補給水ポンプを駆動して第一弁および第二弁を第一開閉状態とするように構成する。第一設定水位ＬＨＨは、ドレンタンクがオーバーフローするのを防止すべく、これ以上水位を上げることができない上限設定水位である。なお、この発明において、「超過」を「以上」に、「以下」を「未満」としても実質的に同じであり、この発明に包含される。
【００２７】
このように構成した実施の形態によれば、ドレンタンク内のドレン温度が第一設定温度ＴＨを超過すると補給水ポンプが駆動され、第一設定温度ＴＨ以下（ＴＨよりディファレ
ンシャル分低い値）となると補給水ポンプを停止するので、ドレンタンク内のドレン温度は、ほぼ第一設定温度に維持される。
【００２８】
また、補給水ポンプが駆動されている時、水位検出器の検出水位が第一設定水位ＬＨＨを超過すると補給水ポンプを停止すると共に、第一弁および前記第二弁を第二開閉状態とする。その結果、ドレンタンク内の水位が第一設定水位ＬＨＨを超えることが防止される。また、前記の第二開閉状態とすることで、ドレンが保有する多量の熱量をドレンタンク内に取り込むことがない。
【００２９】
そして、検出水位が第一設定水位ＬＨＨ以下となると補給水ポンプが駆動されると共に、第一弁および第二弁が第一開閉状態とされる。その結果、補給水ポンプにより供給される補給水によりドレンタンク内のドレンが冷却される。こうした構成の実施の形態によれば、常時ドレンをドレンタンク内へ取り込む特許文献１のシステムと比較して、短時間にドレンタンク内のドレンが冷却される。また、短時間の冷却により、特許文献１のシステムと比較して運転時間を短縮でき、節電が可能となる。
【００３０】
また、この実施の形態のさらに好ましい形態において、好ましくは、制御手段は、補給水ポンプの駆動時、温度検出器による検出温度が第一設定温度ＴＨより高い第二設定温度ＴＨＨ超過で、第一弁および第二弁を第二開閉状態とすると共に、第二設定温度ＴＨＨ以下で第一弁および第二弁を前記第一開閉状態とするように構成する。第二設定温度ＴＨＨは、蒸気ボイラへ供給するドレンとして、これ以上温度を上げることができない上限設定温度である。たとえば、蒸気ボイラにエコノマイザ（給水予熱器）を備えるものにおいては、設定温度以上に給水温度が上昇するとエコノマイザで給水が沸騰する不都合を生ずるが、この沸騰を防止するための上限設定温度である。
【００３１】
このように構成することにより、補給水ポンプの駆動時、温度検出器による検出温度が第二設定温度ＴＨＨを超過すると、第一弁および第二弁が第二開閉状態とされると共に、第二設定温度ＴＨＨ以下となると第一弁および第二弁を前記第一開閉状態とするので、第二設定温度ＴＨＨを超えると、ドレンが保有する多量の熱量をドレンタンク内に取り込むことなく、補給水タンク内の低温の補給水によりドレンタンク内のドレン温度を第二設定温度ＴＨＨ以下に速やかに冷却できる。その結果、特許文献１のシステムと比較して、第二設定温度ＴＨＨ（上限設定温度）以下に、短時間にドレンタンク内のドレンを冷却することができる。
【００３２】
以上説明した実施の形態において、つぎの第一構成または第二構成を付加することができる。第一構成は、補給水タンクと蒸気ボイラとを接続し補助ポンプを有する予備給水ラインを備え、ドレンポンプによる蒸気ボイラへの給水が正常に行われないとき、第一弁および第二弁を第二開閉状態とすると共に、補助ポンプを駆動するものである。
【００３３】
補助ポンプは、好ましくは、蒸気ボイラに付設（ボイラの箱体内または外部に設ける）のポンプとするがこれに限定されるものではない。また、ドレンポンプによる蒸気ボイラへの給水が正常に行われないとは、ドレンポンプの故障や能力低下を意味し、蒸気ボイラの缶体の水位制御が正常に行えない状態を意味している。給水が正常に行われないとの異常検出は、蒸気ボイラの制御手段で判定し、補助ポンプを駆動すると共に、異常検出信号をドレン回収システムの制御手段に送信して、第一開閉状態と第二開閉状態とを選択するように構成することができる。勿論、これらの制御をドレン回収システムの制御手段により一括して行うように構成することもできる。
【００３４】
第二構成は、第一弁を通電停止時に閉じる，所謂ノーマルクローズの弁とし、第二弁を通電停止時に開く，所謂ノーマルオープンの弁とするものである。こうすることにより、
ドレン回収システム側の電源が停電などで遮断した場合、第一弁および第二弁は、自動的に前記第二開閉状態となる。その結果、ドレンを回収できないことに伴う負荷機器の運転を停止する事態を確実に回避できる。
【００３５】
ここで、この発明の実施の形態のドレンシ回収ステムを構成する構成要素を説明する。蒸気ボイラおよび負荷機器は、特定の形式、構造のものに限定されない。
【００３６】
また、ドレンタンクは、密閉型のものであればよく、特定の構造のものに限定されない。補給水タンクは、大気開放型のものであればよく、特定の構造のものに限定されない。加圧蒸気ラインは、ドレンタンク内圧力に応じて開閉する加圧弁を有し、蒸気ボイラ（蒸気ボイラの蒸気出口に設けられるスチームヘッダを含む）からドレンタンクへ大気圧を超える圧力の加圧蒸気を供給する加圧蒸気ラインを備える。加圧弁は、機械式に圧力に応答した開閉する弁または圧力センサにより電気的に開閉する弁とする。この加圧蒸気ラインを備えることにより、ドレンタンク内へ蒸気を供給して飽和圧力以上に保つことで、フラッシュ蒸気を発生させることなく、高温のドレンを回収することができる。
【００３７】
また、第一弁および第二弁は、モータバルブや電磁弁やエア駆動バルブなどを用いることができる。
【００３８】
また、温度検出器は、ドレン供給ラインを通して蒸気ボイラへ供給するドレン温度を検出するものであり、熱電対やサーミスタを用いることができる。この温度検出器の取付け位置は、好ましくは、ドレンタンク内のドレン供給ライン近傍またはドレン供給ラインのドレンタンクに近い位置とする。
【００３９】
さらに、水位検出器は、公知の差圧式水位検出器や電極式水位検出やフロート式水位検出器を用いることができる。
【実施例１】
【００４０】
ついで、この発明の実施例１のドレン回収システムを図１〜図８に従い説明する。
【００４１】
＜実施例１の構成＞
この実施例１のドレン回収システム１は、蒸気ボイラ２と、ドレン戻しライン３と、ドレンタンク４と、補給水ライン５と、ドレン供給ライン６と、補給水タンク７と、ドレン逃がしライン８と、加圧蒸気ライン９と、蒸気逃がしライン（圧力逃がしラインと称することができる。）１０と、ドレン循環ライン１１と、制御手段としての制御器１２とを主要部として備えている。蒸気ボイラ２は、蒸気を使用する負荷機器１３へ蒸気供給ライン２Ａを通して供給するものである。図１において、一点鎖線Ｙで囲む部は、ドレン回収装置として一体的に構成されている。
【００４２】
ドレン戻しライン３は、負荷機器１３から排出されるドレンをスチームトラップ（図示省略）を介してドレンタンク４へ供給するもので、ノーマルクローズのモータバルブからなる第一弁Ｖ１を備えている。
【００４３】
ドレンタンク４は、密閉型に構成され、貯留したドレンを、ドレンポンプ１４を有するドレン供給ライン６を通して蒸気ボイラ２へ供給するものである。ドレンタンク４には、水面計１５が気相部同士を連通する第一連通管１６と液相部同士を連通する第二連通管１７とで接続されている。第一連通管１６には、ドレンタンク４内の圧力を検出する第一圧力検出器としての圧力センサ１８を設けている。この圧力センサ１８は、ドレンタンク４または水面計１５の液相部（または気相部）に設けても良い。
【００４４】
また、水面計１５には、水面計１５内の水位を検出する第一水位検出器としての差圧式の水位センサ１９と、水位センサ１９をバックアップするように異常水位を検出する第二水位検出器としてのフロートスイッチ２０と、圧力センサ１８をバックアップするように異常圧力を検出する第二圧力検出器としての開閉スイッチ式の圧力スイッチ２１とを備えている。この圧力スイッチ２１もドレンタンク４に設けても良い。圧力スイッチは、複数設けることができる。
【００４５】
補給水ライン５は、補給水ポンプ２２と、補給水タンク７方向の流れを阻止する第一逆止弁２３とを有し、大気開放型の補給水タンク７内に貯留された補給水をドレンタンク４へ供給するものである。補給水タンク７には、補給水補充ライン２４を備えており、図示省略の水位検出器により補給水タンク７内の水位が設定水位となるように補給水補充ライン２４の流量を調整する。
【００４６】
ドレン供給ライン６には、ドレンポンプ１４と、ドレンポンプ１４方向の流れを阻止する第二逆止弁２５とを設けている。そして、ドレン供給ライン６のドレンポンプ１４出口側とドレンタンク４との間に、ドレンタンク４内のドレンを循環させるドレン循環ライン１１（ドレン供給ライン６の一部を含む）を設けている。ドレン循環ライン１１の循環量は、ドレンポンプ１４冷却必要な最低限の流量である最小流量（ミニマムフロー）以上としている。
【００４７】
ドレン循環ライン１１は、ドレンタンク４内の気相部にドレンを霧状に噴射するノズルを有する噴射部としての噴出管（噴射器と称することができる。）２６を備える第一循環ライン１１Ａと、ドレンタンク４内の液相部にドレンを戻す第二循環ライン１１Ｂとを含んで構成されている。第一循環ライン１１Ａには、モータバルブからなる第五弁Ｖ５を設け、第二循環ライン１１Ｂには、第五弁Ｖ５閉時の第二循環ライン１１Ｂの流量（ミニマムフロー）を調整する流通抵抗としてのオリフィス２７を設けている。また、第二循環ライン１１Ｂを構成する流路（ドレンタンク４内およびドレン供給ライン６を含む）の適所（実施例１では、ドレン供給ライン６のドレンタンク４とドレンポンプ１４との間）に蒸気ボイラ２へ供給するドレンの温度を検出する温度検出器２８を設けている。
【００４８】
ドレン逃がしライン８は、ドレン戻しライン３の第一弁Ｖ１の上流側と補給水タンク７とを接続し、ノーマルオープンのモータバルブからなる第二弁Ｖ２を設けている。
【００４９】
加圧蒸気ライン９は、蒸気ボイラ２の蒸気出口側である蒸気供給ライン２Ａとドレンタンク４とを接続し、加圧弁としてのモータバルブからなる第三弁Ｖ３を設けている。なお、第三弁Ｖ３の一次側に必要に応じて減圧弁（図示省略）を設ける。
【００５０】
蒸気逃がしライン１０は、ドレンタンク４の気相部と補給水タンク７とを接続し、設定圧以上で開く機械的に作動する圧力調整弁２９と、この圧力調整弁２９と並列に接続するモータバルブからなる第四弁Ｖ４を設けている。
【００５１】
さらに、補給水タンク７と蒸気ボイラ２との間には、ドレンポンプ１４が停止して、蒸気ボイラ２へドレンが供給できないとき、補給水タンク７の補給水を蒸気ボイラ２へ供給する予備給水ライン３０を設けている。この予備給水ライン３０には、蒸気ボイラ２に付属している補助ポンプ３１と、補助ポンプ３１方向の流れを阻止する第三逆止弁３２とを設けている。
【００５２】
また、補給水タンク７には、第一混合器３３および第二混合器３４を設けている。第一混合器３３は、蒸気逃がしライン１０からの蒸気と補給水タンク７内下部の補給水とを混合させて熱交換させる機能を有する。また、第二混合器３４は、ドレン戻しライン８から
のドレンから発生する蒸気と補給水タンク７内下部の補給水とを混合させて熱交換させる機能を有する。
【００５３】
第一混合器３３および第二混合器３４は、同じ構造を有し、蒸気と補給水とを混合する混合室３３Ａ，３４Ａと、混合室３３Ａ，３４Ａに連通され混合した水を補給水タンク７の液相部に導く導水パイプ３３Ｂ，３４Ｂと、導水パイプ３３Ｂ，３４Ｂの外側に間隔を存して形成される蒸気室３３Ｃ，３４Ｃとを含んで構成されている。各導水パイプ３３Ｂ，３４Ｂと、各蒸気室３３Ｃ，３４Ｃには、それぞれ蒸気孔（図示省略）が形成され、導水パイプ３３Ｂ，３４Ｂ内に存在する蒸気を蒸気孔を通して補給水タンク７の気相部に導き、気相部に微量の蒸気を存在させることで、酸素の再溶存を防止するように構成している。
【００５４】
混合室３３Ａには、蒸気逃がしライン１０と補給水循環ライン３５Ａとが接続され、混合室３４Ａには、ドレン戻しライン８と補給水循環ライン３５Ｂとが接続されている。各補給水循環ライン３５Ａ，３５Ｂには、循環ポンプ３６Ａ，３６Ｂを備えている。
【００５５】
この第一混合器３３および第二混合器３４の構成を備えないものでは、ドレン逃がしライン８のドレンおよび蒸気逃がしライン１０の蒸気が補給水タンク７に流入すると、補給水タンク７が開放型であるので、ドレンや蒸気の保有する熱が容易に大気に逃げてしまう。これに対して、第一混合器３３および第二混合器３４の構成を備えることにより、ドレン逃がしライン８のドレンおよび蒸気逃がしライン１０の蒸気の保有する熱を効果的に回収することができる。循環ポンプ３６Ａ，３６Ｂによる補給水の循環は、補給水タンク７内の液相部の温度に基づき、たとえば温度が高いとき循環量を停止または減少するなどの制御を行うように構成することができる。
【００５６】
制御器１２は、圧力センサ１８，水位センサ１９，フロートスイッチ２０，圧力スイッチ２１，温度検出器２８などからの信号を入力して、予め記憶している制御手順に基づき、第一弁Ｖ１〜第五弁Ｖ５，ドレンポンプ１４、補給水ポンプ２２などを制御する。なお、補助ポンプ３１は、蒸気ボイラ２側の制御器で制御しているが、制御器１２で制御するように構成することもできる。
【００５７】
制御器１２の制御手順には、ドレンタンク４内の水位およびドレン温度を制御する水位・ドレン温度制御手順，ドレン循環ライン１１の循環を制御するドレン循環制御手順などが含まれている。
【００５８】
水位・ドレン温度制御手順は、つぎの第一制御と第二制御とを含んでいる。第一制御は、温度検出器２８による検出温度が第一設定温度ＴＨ以上で補給水ポンプ２２を駆動し、第一設定温度ＴＨ未満で補給水ポンプ２２を停止し、補給水ポンプ２２の駆動時、水位センサ１９の検出水位が第一設定水位ＬＨＨ以上で補給水ポンプ２２を停止して、第一弁Ｖ１および第二弁Ｖ２を第二開閉状態とすると共に、第一設定水位ＬＨＨ未満で補給水ポンプ２２を駆動して第一弁Ｖ１および第二弁Ｖ２を第一開閉状態とする制御である。
【００５９】
第二制御は、補給水ポンプ２２の駆動時、温度検出器２８による検出温度が第一設定温度ＴＨより高い第二設定温度ＴＨＨ以上で、第一弁Ｖ１および第二弁Ｖ２を第二開閉状態とすると共に、第二設定温度ＴＨＨ未満で第一弁Ｖ１および第二弁Ｖ２を第一開閉状態とする制御である。これらの第一制御および第二制御は、図２，図３および図４の制御手順で実現している。
【００６０】
この実施例１では、第一設定温度ＴＨ，第二設定温度ＴＨＨをそれぞれ１７０℃，１７５℃としているが、システムの構成や運転条件に応じて、温度は、１００〜２２０℃の範
囲で適宜設定可能である。なお、これらの数値は、この発明の権利範囲を限定するものではない。
【００６１】
ドレン循環制御手順は、温度検出器２８の検出温度が第一設定温度ＴＨを超過する（または以上となる）か、第一設定温度ＴＨより低い第三設定温度ＴＬ未満（または以下）のとき、第一循環路１１Ａによるドレン循環を停止する手順と、第一圧力検出器１８の検出圧力が第一設定圧力（上限圧力）ＰＨを超過する（または以上となる）と第一循環路１１Ａによるドレン循環を行う手順とを含んでいる。このドレン循環制御手順の一例を図８に示す。
【００６２】
また、具体的な実施例１の第一弁Ｖ１の制御手順，第二弁Ｖ２の制御手順，補給水ポンプ２２の制御手順，ドレンポンプ１４の制御手順，第三弁Ｖ３の制御手順，第四弁Ｖ４の制御手順，第五弁Ｖ５の制御手順は、それぞれ図２，図３，図４，図５，図６，図７，図８に示している。
【００６３】
＜実施例１の動作＞
（水位・ドレン温度制御）
ここで、実施例１の水位・ドレン温度制御手順による動作を図１〜図４に基づき説明する。図１を参照して、負荷機器１３においては、ボイラ２から供給された蒸気が液化する。液化したドレンは、ドレン戻しライン３を通して、ドレンタンク４へ流入しようとする。
【００６４】
図２および図３を参照して、システムの運転スイッチ（図示省略）がＯＮされると、処理ステップＳ１（以下、処理ステップＳＮを単にＳＮと称する。），Ｓ１１において、第一弁Ｖ１を閉じ，第二弁Ｖ２を開き（第二開閉状態）、Ｓ２へ移行して、圧力スイッチ２１がＯＮしているかどうかを判定する。水面計１５内の圧力が異常高圧設定圧力（後記第一設定圧力ＰＨより高い設定圧力）以上となると、圧力スイッチ２１がＯＮするので、Ｓ２，Ｓ１２でＹＥＳが判定され、Ｓ１，Ｓ１１に戻って第二開閉状態を維持する。
【００６５】
こうして、ドレンタンク４内の圧力が異常高圧のときは、負荷機器１３からのドレンはドレンタンクへ流入することが防止され、代わりに補給水タンク７へ流入する。その結果、ドレンタンク４内の圧力が異常高圧であっても負荷機器１３の運転を継続しながらドレンが補給水タンク７へ回収される。このドレンの回収は、前述のように、第二混合器３４を通して行われる。
【００６６】
このとき、図５のＳ３２においてもＹＥＳが判定されるので、ドレンポンプ１４が停止され、ドレンタンク４から蒸気ボイラ２への給水が停止される。しかしながら、蒸気ボイラ２の制御器（図示省略）は、ドレンタンク４からの給水が無いことを判定すると、補助ポンプ３１を駆動する。その結果、補給水タンク７から蒸気ボイラ２への給水が継続されるので、蒸気ボイラ２の運転も継続され、負荷機器１３での蒸気の継続使用が可能となる。
【００６７】
図２，図３に戻ってＳ２，Ｓ１２でＮＯが判定されると、Ｓ３，Ｓ１３へ移行して、フロートスイッチ２０が異常高設定水位（後記第一設定水位ＬＨＨより高い設定水位）以上を検出しているかどうかを判定する。水面計１５内の水位が異常高設定水位以上となると、Ｓ３，Ｓ１３でＹＥＳが判定され、Ｓ１，Ｓ１１に戻って第二開閉状態を維持する。なお、水位センサ１９が正常に作動しているときは、フロートスイッチ２０が作動することは無く、Ｓ３，Ｓ１３でＹＥＳが判定されることはない。
【００６８】
こうして、ドレンタンク４内の水位が異常高水位のときも、ドレンタンク４内の圧力が
異常高圧のときと同様に、負荷機器１３の運転を継続しながらドレンが補給水タンク７へ回収される。このとき、ドレンポンプ１４が停止されるが、補助ポンプ３１の駆動により、蒸気ボイラ２の運転が継続されるのは、ドレンタンク４内の水位が異常高水位のときと同様である。
【００６９】
Ｓ３，Ｓ１３でＮＯが判定されると、Ｓ４，Ｓ１４へ移行し、水位センサ１９が第一設定水位ＬＨＨの超過（ＬＨＨよりディファレンシャル分高い値）を検出しているかどうかを判定する。水面計１５内の水位が第一設定水位ＬＨＨを超過すると、Ｓ４，Ｓ１４でＹＥＳが判定され、Ｓ１，Ｓ１１に戻って第二開閉状態を維持する。
【００７０】
こうして、ドレンタンク４内の水位が第一設定水位ＬＨＨを超過すると、ドレンタンク４内へのドレンの流入が阻止され、ドレンタンク４内が異常高水位となることが防止される。そして、ドレンタンク４内の圧力が異常高圧のときと同様に、負荷機器１３の運転を継続しながらドレンが補給水タンク７へ回収される。このとき、ドレンポンプ１４が停止されるが、補助ポンプ３１の駆動により、蒸気ボイラ２の運転が継続されるのは、ドレンタンク４内の水位が異常高水位のときと同様である。
【００７１】
そして、水位センサ１９の検出水位が第一設定水位ＬＨＨ以下を検出すると、Ｓ４，Ｓ１４でＮＯが判定され、Ｓ５，Ｓ１５へ移行して、温度センサ２８の検出温度が第二設定温度ＴＨＨを超過（ＴＨＨよりディファレンシャル分高い値を検出）かどうかを判定する。Ｓ５，Ｓ１５でＹＥＳが判定されると、Ｓ１，Ｓ１１へ移行して、第二開閉状態を維持する。そして、温度センサ２８の検出温度が第二設定温度ＴＨＨ以下を検出すると、Ｓ５，Ｓ１５でＮＯが判定され、Ｓ６，Ｓ１６へ移行して、第一弁Ｖ１を開き、第二弁を閉じ（第一開閉状態）、負荷機器１３からのドレンがドレンタンクへ流入する。
【００７２】
こうして、Ｓ５，Ｓ１５の処理により、ドレンタンク４へは温度センサ２８の検出温度が第二設定温度ＴＨＨを超過すると、ドレンタンク４内へ高温のドレンの流入が阻止されることで、ドレンタンク４内のドレン温度が第二設定温度ＴＨＨを超過することが阻止される。このドレン流入阻止の動作とつぎに説明する補給水ポンプ２２の制御によるドレンの冷却動作により、ドレンタンク４内のドレン温度の速やかな低下が実現される。
【００７３】
つぎに補給水ポンプ２２の動作を図４に基づき説明する。Ｓ２１で補給水ポンプ２２を停止する。ついで、Ｓ２２で、圧力スイッチ２１がＯＮかどうかを判定する。ＹＥＳの場合、Ｓ２１へ移行して、補給水ポンプ２１を停止する。ＮＯの場合、Ｓ２３へ移行して、フロートスイッチ２０が異常高設定水位を検出しているかどうかを判定する。
【００７４】
Ｓ２３でＹＥＳが判定されると、Ｓ２１へ移行して、補給水ポンプ２２を停止する。ＮＯが判定されると、Ｓ２４へ移行して、水位センサ１９が第一設定水位ＬＨＨ（＞ＬＨ）の超過を検出（ＬＨＨよりディファレンシャル分高い値を検出）しているかどうかを判定する。ＹＥＳの場合、Ｓ２１へ移行して、補給水ポンプ２２を停止する。
【００７５】
後記のように、ドレンポンプ１４の駆動により、ドレンタンク４内の水位が低下し、検出水位が第一設定水位ＬＨＨ以下となると、Ｓ２４でＮＯが判定され、Ｓ２５へ移行して、温度センサ２８の検出温度が第一設定温度ＴＨ（＜ＴＨＨ）の超過（ＴＨよりディファレンシャル分高い値を検出）かどうかを判定する。検出温度が第一設定温度ＴＨを超過し、Ｓ２５でＹＥＳが判定されると、Ｓ２２７へ移行して、補給水ポンプ２２を駆動する。この補給水ポンプ２２の駆動により、補給水タンク７から低温の補給水がドレンタンク４内へ補給される。
【００７６】
温度センサ２８の検出温度が第一設定温度ＴＨ以下となり、Ｓ２５でＮＯが判定される
と、Ｓ２６へ移行して、ドレンタンク４内水位が第二設定水位ＬＨを超過（ＬＨよりディファレンシャル分高い値を検出）かどうかを判定する。ＹＥＳが判定されると、Ｓ２１へ移行して、補給水ポンプ２２を停止する。後記のように、ドレンポンプ１４の駆動により、ドレンタンク４内の水位が低下し、水位が第二設定水位ＬＨ以下となり、Ｓ２６でＮＯが判定されると、Ｓ２７へ移行して、補給水ポンプ２２を駆動する。この補給水ポンプ２２の駆動により、補給水タンク７から低温の補給水がドレンタンク４内へ補給される。
【００７７】
このように、ドレンタンク４内のドレン温度が第一設定温度ＴＨを超過し、ドレンタンク４内の水位が第一設定水位ＬＨＨ以下の場合、補給水ポンプ２２が駆動されて、ドレンタンク４内のドレンの冷却制御（第一制御）が行われる。そして、前述のように、ドレンタンク４内の水位が第一設定水位ＬＨＨを超過するか、ドレン温度が第二設定温度ＴＨＨ以上となると、第一弁Ｖ１および第二弁Ｖ２を第二開閉状態とすることにより、ドレンが保有する多量の熱量をドレンタンク４内に取り込まない制御（第二制御）を行う。その結果、ドレンタンク４内の温度が第二設定温度ＴＨＨ以上となっても第一制御と第二制御とにより、特許文献１のシステムと比較して、短時間にドレンタンク４内のドレンが冷却される。これにより、補給水ポンプ２２の運転時間を短縮でき、節電が可能となる。
【００７８】
つぎに、ドレンポンプ１４の動作を図５に基づき説明する。Ｓ３１で、ドレンポンプ１４を停止する。ついで、Ｓ３２へ移行して、圧力スイッチ２１がＯＮかどうかを判定し、ＹＥＳの場合、Ｓ３１へ移行して、ドレンポンプ１４を停止する。
【００７９】
Ｓ３２でＮＯが判定されると、Ｓ３３へ移行して、フロートスイッチ２０が異常低設定水位水位以上かどうかを判定する。ＹＥＳの場合、Ｓ３１へ移行して、ドレンポンプ１４を停止する。Ｓ３３でＮＯが判定されると、Ｓ３４へ移行して、センサ１９が第三設定水位ＬＬＬ（＜第二設定水位ＬＨ）の超過（ＬＬＬよりディファレンシャル分高い値）を検出しているかどうかを判定する。判定の結果がＹＥＳの場合、Ｓ３１へ移行してポンプ１４を停止し、蒸気ボイラ２への給水を行わない。
【００８０】
ドレンタンク４内水位が第三設定水位ＬＬＬ以下となると、Ｓ３４でＹＥＳが判定され、Ｓ３５へ移行して、圧力センサ１８が第二設定圧力ＰＬより低い第三設定圧力ＰＬＬを超過（ＰＬＬよりディファレンシャル分高い値）かどうかを判定する。Ｓ３５で、第三設定圧力ＰＬＬ以下が検出されると、ＮＯが判定され、Ｓ３１へ移行して、ドレンポンプ１４を停止する。Ｓ３５でＹＥＳの場合、Ｓ３６へ移行して、ドレンポンプ１４を駆動する。
【００８１】
このように、ドレンポンプ１４は、基本的に、ドレンタンク４内の水位が第三設定水位ＬＬＬを超過で、かつ圧力が第三設定圧力ＰＬＬを超過の条件で、駆動され、ドレンタンク４から蒸気ボイラ２へドレンが供給される。なお、ドレンポンプ１４の故障時には、前述のように、補助ポンプ３１の駆動により、蒸気ボイラ２の運転が継続される。
【００８２】
（ドレンタンク内圧力制御）
つぎに、ドレンタンク４内の圧力制御を説明する。まず、第三弁Ｖ３の動作を図６に基づき説明する。Ｓ４１で、第三弁Ｖ３を閉じる。ついで、Ｓ４２へ移行して、圧力スイッチ２１がＯＮかどうかを判定し、ＹＥＳの場合、Ｓ４１へ移行して、第三弁Ｖ４を閉じ、ドレンタンク４内が異常高設定圧力を超えないようにする。
【００８３】
Ｓ４２でＮＯが判定されると、Ｓ４３へ移行して、フロートスイッチ２０が異常低設定水位以下かどうかを判定する。ＹＥＳの場合、Ｓ４１へ移行して、第三弁４１を閉じる。Ｓ４３でＮＯが判定されると、Ｓ４４へ移行して、水位センサ１９が第三設定水位ＬＬＬの超過（ＬＬＬよりディファレンシャル分高い値）を検出しているかどうかを判定する。
水位が第三設定水位ＬＬＬ以下で、ＮＯの場合、第三弁４１を閉じる。
【００８４】
Ｓ４４でＹＥＳが判定されると、Ｓ４５へ移行して、圧力センサ１８が異常高設定圧力より低く第三設定圧力ＰＬＬより高い第二設定圧力ＰＬを超過か（ＰＬよりディファレンシャル分高い値）どうかを判定する。ＹＥＳの場合、Ｓ４１へ移行して、第三弁４１を閉じる。Ｓ４５で、第二設定圧力ＰＬ以下が検出されると、ＮＯが判定され、Ｓ４６へ移行して、第三弁Ｖ３を開く。
【００８５】
このように、第三弁Ｖ３は、基本的に、ドレンタンク４内の水位が第三設定水位ＬＬ以上で、圧力が第二設定圧力ＰＬ未満の条件で開き、加圧蒸気ライン９を通して、ドレンタンク４内へ蒸気を供給して、ドレンタンク４内の圧力をほぼ第二設定圧力ＰＬに保持する。
【００８６】
つぎに、第四弁Ｖ４の動作を図７に基づき説明する。Ｓ５１では第四弁Ｖ４を閉じる。図１を参照して、圧力調整弁２９は、ドレンタンク４内の圧力が設定圧力（異常高設定圧力より低く第二設定圧力ＰＬより高い値）以上になると開くので、ドレンタンク４内の圧力は、圧力調整弁２９の設定圧力未満に制御されている。しかしながら、圧力調整弁２９が故障するなどの理由により、圧力が上昇し、圧力センサ１８のよる検出圧力が第一設定圧力ＰＨ（異常高設定圧力より低く、第二設定圧力ＰＬより高い値）を超過（ＰＨよりディファレンシャル分高い値）すると、Ｓ５２で、ＹＥＳが判定され、Ｓ５３のＮＯの判定を経て、Ｓ５４で第四弁Ｖ４を開く。
【００８７】
第四弁Ｖ４の故障などにより、さらに圧力が上昇して、圧力スイッチ２１が異常高圧を検出すると、圧力スイッチ２１がＯＮし、Ｓ５３でＹＥＳが判定されて、第四弁Ｖ４を閉じる。この圧力スイッチ２１が異常高圧を検出したときは、システム１をインターロック状態に停止する動作を行う。第四弁Ｖ４を閉じるのは、インターロック動作の一環である。なお、インターロック状態としない場合は、Ｓ５３でＹＥＳが判定されると、第四弁Ｖ４を開くように構成することができる。
【００８８】
Ｓ５２で、第一設定圧力ＰＨ以下が検出されると、ＮＯが判定され、Ｓ５１へ移行して、第四弁Ｖ４を閉じる。
【００８９】
このように、第四弁Ｖ４は、基本的に、ドレンタンク４内の圧力が第一設定圧力ＰＨの超過の条件で開くので、圧力調整弁２９が故障しても蒸気逃がしライン１０を通して、ドレンタンク４内の高圧蒸気を補給水タンク７内へ逃がし、ドレンタンク４内の異常高圧を防止する。
【００９０】
（フラッシュ蒸気からの熱回収制御）
つぎに、フラッシュ蒸気からの熱回収制御について説明する。まず、第五弁Ｖ５の動作を図８に基づき説明する。Ｓ６１では第五弁Ｖ５を閉じる。今、ドレンポンプ１４が駆動されているとすると、ドレンタンク４内のドレンは第二循環ライン１１Ｂを通して循環し、ドレンポンプ１４のミニマムフローが確保されるともに、ドレンタンク４内のドレン温度が均一化される。
【００９１】
ついで、Ｓ６２では、圧力スイッチ２１がＯＮかどうかを判定し、ＹＥＳの場合、Ｓ６１へ移行して、第五弁Ｖ５を閉じ、第一循環ライン１１Ａを通してドレンをドレンタンク４内へ噴出しない。
【００９２】
ＮＯの場合、Ｓ６３へ移行して、温度センサ２８の検出温度が第二設定温度ＴＨＨ以上かどうかを判定する。Ｓ３３でＹＥＳが判定されると、Ｓ６１へ移行して、第五弁Ｖ５を
閉じ、ドレンをドレンタンク４内へ噴出しない。
【００９３】
Ｓ６３でＮＯが判定されると、Ｓ６４へ移行して、温度センサ２８の検出温度が第三設定温度ＴＬ未満かどうかを判定する。Ｓ６４でＹＥＳが判定されると、Ｓ６１へ移行して、第五弁Ｖ５を閉じ、ドレンをドレンタンク４内へ噴出しない。その理由は、つぎの通りである。ドレンタンク４内のドレン温度が低い状態でドレンを噴射すると、ドレンタンク４内の圧力が低下し、第三弁Ｖ３が開き、加圧蒸気ライン９から蒸気が供給されることを防止するためである。
【００９４】
Ｓ６４で、第三設定温度ＴＬを超える値（ＴＬよりディファレンシャル分高い値）が検出され、ＮＯが判定されると、Ｓ６５へ移行して、ドレンタンク４内圧力が、第一設定圧力ＰＨを超過（ＰＨよりディファレンシャル分高い値）かどうかを判定する。第一設定圧力ＰＨ以下が検出されると、Ｓ６５で、ＮＯが判定さ、Ｓ６１で第五弁Ｖ５を閉じ、ドレンをドレンタンク４内へ噴出しない。その理由は、つぎの通りである。ドレンタンク４内の圧力が低い状態でドレンを噴射すると、ドレンタンク４内の圧力がさらに低下し、第三弁Ｖ３が開き、加圧蒸気ライン９から蒸気が供給されることを防止するためである。
【００９５】
Ｓ６５で、第一設定圧力ＰＨの超過が検出されると、ＹＥＳが判定され、Ｓ６６へ移行して、第五弁Ｖ５を開く。すると、ドレンタンク４内のドレンは、第一循環ライン１１Ａを通して噴出管２６からドレンタンク４の気相部へ噴出され、この噴出によりドレンタンク４内の気相部の熱を効率よく回収して高温のドレンを得ることができる。この第二循環ライン１１Ａからのドレン噴出時にも第二循環ライン１１Ｂを通してドレンが循環している。
【００９６】
このように、第五弁Ｖ５は、基本的に、ドレンタンク４内のドレン温度が第二設定温度ＴＨＨ以下で、かつ第三設定温度ＴＬ以上で、かつドレンタンク４内圧力が第一設定圧力ＰＨを超過の条件で開いて、噴出管２６からドレンを噴出する。その結果、ドレン温度を必要以上に高くすることなく、ドレンタンク４内の気相部の熱を効率よく回収して高温のドレンを得ることができる。
【実施例２】
【００９７】
この発明は、前記実施例１に限定されるものではなく、図９の実施例２を含むものである。この実施例２において、実施例１と異なるのは、第二循環ライン１１Ａ，第一混合器３３，第二混合器３４を削除した点であり、その他の構成は実施例１と同様であるので、同じ構成要素には同じ符号を付してその説明を省略する。
【００９８】
また、前記実施例１，２に限定されるものではなく、前記実施例１，２において、フロートスイッチ２０，圧力スイッチ２１は、省略可能である。また、加圧蒸気ライン９および蒸気逃がしライン１０は必ずしも必要としない。
【符号の説明】
【００９９】
１                    ドレン回収システム
２                    蒸気ボイラ
４                    ドレンタンク
５                    補給水ライン
６                    ドレン供給ライン
７                    補給水タンク
１２                    制御器（制御手段）
１３                    負荷機器
１４                    ドレンポンプ
１９                    水位センサ（水位検出器）
２８                    温度検出器
Ｖ１                    第一弁
Ｖ２                    第二弁
ＴＨ                    第一設定温度
ＴＨＨ                  第二設定温度
ＬＨＨ                  第一設定水位
【図１】
0005924012.tif 000002
【図２】
0005924012.tif 000003
【図３】
0005924012.tif 000004
【図４】
0005924012.tif 000005
【図５】
0005924012.tif 000006
【図６】
0005924012.tif 000007
【図７】
0005924012.tif 000008
【図８】
0005924012.tif 000009
【図９】
0005924012.tif 000010